(57)【要約】【課題】所定以上の衝撃力がディスクカートリッジに作用する場合であっても、記録面が損傷することを回避することができ、しかも、記録面を最大限有効に利用することができること。【解決手段】凹部２６ｒを外縁部に有する磁気ディスク２６の周囲に、凹部２６ｒに挿入される尖頭部３０ｐを有するストッパ部材３０が複数設けられるもの。【選択図】        図１
2004152365.tif 000002
【特許請求の範囲】
【請求項１】
情報が記録される情報記録領域を有する平面部と、該平面部に対して略直交し凹部が形成される外縁部とを有する記憶媒体と、
前記記憶媒体を支持するとともに、駆動力を供給する駆動部に選択的に接続される支持軸部と、
前記記憶媒体および支持軸部を収容する収容部を有するケーシング部材と、
を備え、
前記記憶媒体の外縁部の凹部内に所定の隙間をもって挿入される凸部が、前記収容部内に設けられることを特徴とする記憶媒体用リムーバブルディスクカートリッジ。
【請求項２】
情報が記録される情報記録領域を有する平面部と、該平面部に対して略直交し凹部が形成される外縁部とを有する記憶媒体と、
前記記憶媒体を支持するとともに、駆動力を供給する駆動部に選択的に接続される支持軸部と、
前記記憶媒体および支持軸部を収容する収容部を有するケーシング部材と、
前記収容部内に回動可能に支持され前記記憶媒体の凹部の周縁に係合する位置または該凹部の周縁に対して非係合状態となる位置を選択的にとる凸部を有するストッパ部材と、
前記ストッパ部材を選択的に所定位置に回動させる回動制御機構と、
を具備して構成される記憶媒体用リムーバブルディスクカートリッジ。
【請求項３】
前記凹部の周縁と前記凸部との間に所定の隙間が設けられることを特徴とする請求項２記載の記憶媒体用リムーバブルディスクカートリッジ。
【請求項４】
前記記憶媒体の基材は、プラスチック材料で成形されることを特徴とする請求項１または２記載の記憶媒体用リムーバブルディスクカートリッジ。
【請求項５】
前記ケーシング部材は、前記収容部に連通し前記記憶媒体に記録された情報を再生または該記録媒体に情報を書き込むヘッド部が選択的に通過する開口部と、該開口部を開閉するシャッター部材とを備えることを特徴とする請求項１または２記載の記憶媒体用リムーバブルディスクカートリッジ。
【請求項６】
前記記憶媒体は、磁気ディスクまたは光学ディスクであることを特徴とする請求項１または２記載の記憶媒体用リムーバブルディスクカートリッジ。
【発明の詳細な説明】
【０００１】
【発明の属する技術分野】
本発明は、記憶媒体を収容する記憶媒体用リムーバブルディスクカートリッジに関する。
【０００２】
【従来の技術】
記憶媒体としてのディスクが収容されるディスクカートリッジは、所謂、リムーバブル型ディスクカートリッジとして実用に供されている。ディスクカートリッジにおけるディスクが例えば、磁気ディスクの場合、記録面が形成される基板の材料は、一般にアルミウム合金またはガラスが用いられている。また、基板の材料は、例えば、特許文献１にも記載されるように、記録密度の高密度化およびコストダウンの観点からプラスチック材料で射出成形されることが提案されている。そのコストダウンの理由としては、基板がプラスチック材料で射出成形される場合、アルミニウム合金またはガラスで形成される場合に比して素材費が低減され、かつ、射出成形により鏡面が転写されるので研磨工程が大幅に減らされるからである。
【０００３】
リムーバブル型ディスクカートリッジは、近年、パーソナルコンピュータに装着されるばかりでなく、映像または音楽を記録再生する記憶媒体としてオーディオ装置、ビデオプレーヤ、デジタルカメラ、ＰＤＡ等のモバイルパソコン、カーナビゲーションシステム等に搭載される場合がある。
【０００４】
モバイルパソコン、カーナビゲーションシステム等においてリムーバブル型ディスクカートリッジが用いられる場合、耐衝撃性および耐振性が磁気ディスクに要求されることとなる。
【０００５】
磁気ディスクの基板がプラスチック材料で射出成形される場合、アルミニウム合金またはガラスで形成される場合に比して機械的強度が劣り、例えば、衝撃等がリムーバブル型ディスクカートリッジに作用することにより、図１３（Ａ）に示されるように、磁気ディスクの記録面がカートリッジケースの内壁に衝突し損傷する虞がある。
【０００６】
図１３（Ａ），（Ｂ）は、それぞれ、リムーバブル型ディスクカートリッジの一例の概略構成を示す。
【０００７】
ディスクカートリッジは、記憶媒体としての円盤状の磁気ディスク４と、磁気ディスク４を回動可能に支持する支持部１２と、磁気ディスク４および支持部１２を収容する収容部２Ａを有するケーシング２とを含んで構成されている。
【０００８】
ケーシング２は、図示が省略されるディスクドライブ装置の連結部が挿入される開口部２ａを支持部１２に対向して底部に有している。また、ケーシング２は、磁気ディスク４の記録面４ａおよび４ｂに対しデータを書き込みまたはその記録データを再生する磁気ヘッドが選択的に挿入される開口部を備えている。
【０００９】
所定の厚さを有するプラスチック材料で成形される磁気ディスク４は、その両面にそれぞれ、記録面４ａおよび４ｂを有している。記録面４ａおよび４ｂの中央部には、孔４ｃが形成されている。
【００１０】
支持部１２は、磁気ディスク４の孔４ｃに嵌合される円筒部を有する軸部６と、軸部６の周縁と協働し磁気ディスク４を挟持するクランプばね部材１０と、ケーシング２に回動可能に支持されクランプばね部材１０を軸部６に固定する締結部材８と、を含んで構成されている。従って、磁気ディスク４は、ケーシング２内に支持部１２により回動可能に支持されることとなる。
【００１１】
このような構成において、ディスクカートリッジに対し所定以上の衝撃力等が作用された場合、図１３（Ｂ）に示されるように、磁気ディスク４の記録面４ａの外縁部近傍が内壁面に接触し損傷する虞がある。
【００１２】
斯かる場合の対策として、特許文献１および図１４（Ａ）および（Ｂ）に示されるように、収容部２Ａにおける磁気ディスク４’の周囲における複数箇所に、磁気ディスク４’の損傷を回避するストッパ部材１６Ａおよび１６Ｂが設けられるものが提案されている。
【００１３】
磁気ディスク４’の外縁部には、面取り４’ｅが全円周上に形成されている。ストッパ部材１６Ａおよび１６Ｂの一端は、それぞれ、ケーシング２の内面部に接合されている。また、ストッパ部材１６Ａおよび１６Ｂの他端は、それぞれ、磁気ディスク４’の面取り４’ｅに対応して斜面部を有している。
【００１４】
なお、図１４（Ａ）および（Ｂ）では、図１３（Ａ）、（Ｂ）に示される例における同一の構成要素について同一の符号を付して示し、その重複説明を省略する。
【００１５】
このような構成において、ディスクカートリッジに対し所定以上の衝撃力等が作用された場合、図１４（Ｂ）に示されるように、磁気ディスク４’の外縁部における面取り４’ｅが、ストッパ部材１６Ａの斜面部に当接することによって、磁気ディスク４’の外縁部の撓みが規制されることにより、磁気ディスク４’の記録面４’ａの外縁部近傍が内壁面に接触することが回避されることとなる。
【００１６】
【特許文献１】
特開平５−４７１３３号公報
【００１７】
【発明が解決しようとする課題】
しかしながら、図１４（Ｃ）に示されるように、上述のように接触する面取り４’ｅを設けることは、面取り４’ｅに対応するリング状の領域ＤＥが有効に記録領域として利用されないこととなるので磁気ディスク４’のデータ領域ＤＡの記憶容量の増大の要請に反することとなる。従って、領域ＤＥの面積を最小化することが望まれる。
【００１８】
以上の問題点を考慮し、記憶媒体を収容する記憶媒体用リムーバブルディスクカートリッジであって、所定以上の衝撃力がディスクカートリッジに作用する場合であっても、記録面が損傷することを回避することができ、しかも、記録面を最大限有効に利用することができる記憶媒体用リムーバブルディスクカートリッジを提供することを目的とする。
【００１９】
【課題を解決するための手段】
上述の目的を達成するために、本発明に係る記憶媒体用リムーバブルディスクカートリッジは、情報が記録される情報記録領域を有する平面部と、平面部に対して略直交し凹部が形成される外縁部とを有する記憶媒体と、記憶媒体を支持するとともに、駆動力を供給する駆動部に選択的に接続される支持軸部と、記憶媒体および支持軸部を収容する収容部を有するケーシング部材と、を備え、記憶媒体の外縁部の凹部内に所定の隙間をもって挿入される凸部が、収容部内に設けられることを特徴とする。
【００２０】
また、本発明に係る記憶媒体用リムーバブルディスクカートリッジは、情報が記録される情報記録領域を有する平面部と、平面部に対して略直交し凹部が形成される外縁部とを有する記憶媒体と、記憶媒体を支持するとともに、駆動力を供給する駆動部に選択的に接続される支持軸部と、記憶媒体および支持軸部を収容する収容部を有するケーシング部材と、収容部内に回動可能に支持され記憶媒体の凹部の周縁に係合する位置または凹部の周縁に対して非係合状態となる位置を選択的にとる凸部を有するストッパ部材と、ストッパ部材を選択的に所定位置に回動させる回動制御機構とを備えて構成される。
さらに、凹部の周縁と前記凸部との間に所定の隙間が設けられてもよい。
【００２１】
記憶媒体の基材は、プラスチック材料で成形されるものであってもよい。
ケーシング部材は、収容部に連通し記憶媒体に記録された情報を再生または記録媒体に情報を書き込むヘッド部が選択的に通過する開口部と、開口部を開閉するシャッター部材とを備えるものでもよい。
記憶媒体は、磁気ディスクまたは光学ディスクでもよい。
【００２２】
【発明の実施の形態】
図６は、本発明に係る記憶媒体用リムーバブルディスクカートリッジの一例の外観を、それが装着されたディスクカートリッジドライブとともに示す。
【００２３】
ディスクカートリッジドライブ２０は、ディスクカートリッジ２２が選択的に挿入または引き出される開口部２０ａを筐体における一方の側面に有している。
【００２４】
その筐体内には、後述するディスクカートリッジ２２内の磁気ディスクの記録面に対してデータの書き込みまたは読み取り再生を行う磁気ヘッドが内蔵されている。磁気ヘッドは、磁気ディスクの両面に形成される記録面にそれぞれ対向したヘッドを有している。
【００２５】
また、その筐体内には、ディスクカートリッジ２２内の磁気ディスクを回動させる駆動用モータと、磁気ディスクの支持部を選択的に駆動用モータの出力軸に連結するクラッチ機構と、後述する制御部とが配されている。
【００２６】
クラッチ機構は、例えば、図７に示されるように、チャック部４０を含んで構成されている。チャック部４０は、例えば、選択的に励磁されることにより、ディスクカートリッジ２２内の磁気ディスク２２の軸部３２を電磁力により吸引保持するものとされる。これにより、磁気ディスク２２の軸部３２がクラッチ機構に連結されるので駆動用モータからの回動力により、磁気ディスク２２が回動せしめられることとなる。なお、クラッチ機構は、電磁式に限られることなく、例えば、空気圧式であってもよい。
【００２７】
クラッチ機構および駆動用モータ、磁気ヘッドの磁気ディスクの記録面の再生または書き込み動作は、図示が省略される制御部により制御される。さらに、筐体における開口部２０ａ近傍には、ディスクカートリッジ２２をディスクカートリッジドライブ２０から取り出すとき、操作されるイジェクト釦２０ｂが設けられている。これにより、イジェクト釦２０ｂが操作されるとき、制御部は、イジェクト釦２０ｂからの信号に基づいて上述のクラッチ機構に対し、磁気ディスク２２を解放するように動作を行なわせる。
【００２８】
ディスクカートリッジ２２は、図５に示されるように、上述のクラッチ機構の一部を構成するチャック部４０が選択的に挿入される孔２４ａを底部に有するケーシング２４により外郭部が形成されている。
【００２９】
ケーシング２４は、４つの側面のうちの一つに、上述の磁気ヘッドが進入または離脱する細長い開口部２４ｂを有している。開口部２４ｂには、図４に示されるように、開口部２４ｂを選択的に開閉するシャッター３６が開口部２４ｂを内側から塞ぐように配されている。シャッター３６の端部は、ディスクカートリッジ２２の挿入操作に応じて例えば、ディスクカートリッジドライブ２０内に設けられるシャッター開閉機構に係合するものとされる。また、シャッター３６の端部は、ディスクカートリッジ２２の取外しの操作に応じてシャッター開閉機構に対し非係合状態とされる。
【００３０】
これにより、ディスクカートリッジ２２がディスクカートリッジドライブ２０に装着されていない場合、シャッター３６は、図４に実線で示されるように、ケーシング２４内に設けられる弾性部材３８の付勢力により閉状態をとり、一方、ディスクカートリッジ２２がディスクカートリッジドライブ２０に装着される場合、シャッター３６は、図４に二点鎖線で示されるように、挿入操作に応じて弾性部材３８の付勢力に抗して開口部２４ｂを横切るように移動せしめられ開状態をとる。
【００３１】
開口部２４ｂに連通するケーシング２４におけるディスク収容部２４Ａの中央には、図１および図４に示されるように、磁気ディスク２６が回動可能に配されている。
【００３２】
円盤状の磁気ディスク２６は、厚さ約１ｍｍ程度のプラスチック材料で成形される基材の両面にそれぞれ記録面２６ａおよび２６ｂを有している。各記録面２６ａおよび２６ｂは、それぞれ、データが書き込まれるデータ領域ＤＡを有している。データ領域ＤＡは、磁気ディスク２６の外縁部近傍から中心に向って所定距離だけ離れた位置まで環状に形成されている。また、磁気ディスク２６の外縁部の端面には、後述するストッパ部材が係合される略Ｖ字状の凹部２６ｒが形成されている。凹部２６ｒの断面形状は、磁気ディスク２６の使用中の温度変化に伴う熱歪みを極力避けるために線対称であることが好ましい。
【００３３】
なお、凹部２６ｒの断面形状は、略Ｖ字状に限られることなく、例えば、矩形状、円弧状であってもよい。
【００３４】
磁気ディスク２６の中央部には、後述する支持部３１の軸部３２が嵌合される孔２６ｈが形成されている。
【００３５】
支持部３１は、磁気ディスク２６の孔２６ｈに嵌合される円筒部３２ｃを有する軸部３２と、軸部３２の張出し部分と協働し磁気ディスク２６を挟持するクランプばね部材３４と、ケーシング２４に回動可能に支持されクランプばね部材３４を軸部３２に固定する締結部材２８と、を含んで構成されている。
【００３６】
磁性材料で作られる軸部３２における円筒部３２ｃには、締結部材２８の雄ねじ部がはめ合わされる雌ねじ部が形成されている。また、軸部３２の円筒部３２ｃに連なり円筒部３２ｃの周囲に張り出すフランジ部は、図１に示されるように、磁気ディスク２６の記録面２６ｂ側の孔２６ｈ周縁を支持している。クランプばね部材３４は、その透孔を介して締結部材２８の雄ねじ部が挿入され円筒部３２ｃに締結されることにより、磁気ディスク２６の記録面２６ａ側の孔２６ｈ周縁を押圧することとなる。従って、磁気ディスク２６は、軸部３２のフランジ部とクランプばね部材３４とにより挟持され支持されることとなる。その際、磁気ディスク２６の中心位置と軸部３２の軸心とは、一致するものとされる。
【００３７】
締結部材２８は、図示が省略される軸受部材により、ケーシング２４に対し相対回転可能に支持されている。
【００３８】
従って、磁気ディスク２６は、ケーシング２４のディスク収容部２４Ａ内に支持部３１により回動可能に支持されることとなる。
【００３９】
磁気ディスク２６の周囲における同一円周上の３箇所には、ストッパ部材３０が設けられている。ストッパ部材３０におけるケーシング２４の内側の上面および底面に対向する端部は、それぞれ、上面および底面に固定されている。なお、ストッパ部材３０は、ケーシング２４の内側の上面および底面と一体に形成されてもよい。
【００４０】
ストッパ部材３０の尖頭部３０ｐの先端は、図３および図４に示されるように、所定の隙間をもって磁気ディスク２６の凹部２６ｒ内に凸部として配されている。その所定の隙間は、磁気ディスク２６の記録面２６ａおよび２６ｂとケーシング２４の内面との距離に比して小に設定されている。
【００４１】
なお、ストッパ部材３０の個数は、３個に限れることなく、３個以上であってもよい。
【００４２】
斯かる構成において、ディスクカートリッジ２２が開口部２０ａを通じてディスクカートリッジドライブ２０に装着される場合、ディスクカートリッジ２２が所定位置まで挿入され筐体内に保持されるとき、上述のシャッター３６は、上述のシャッター機構により開状態とされる。また、上述の制御部は、上述のクラッチ機構に、そのチャック部４０が支持部３１と連結する動作を行なわせる。これにより、駆動モータからの回動力が磁気ディスク２６に伝達可能状態となる。
【００４３】
一方、ディスクカートリッジ２２が開口部２０ａを通じてディスクカートリッジドライブ２０から取り外される場合、イジェクト釦２０ｂが操作されることにより、制御部は、イジェクト釦２０ｂからの指令信号に基づいてクラッチ機構に、そのチャック部４０が支持部３１と非係合状態となる動作を行なわせる。これにより、ディスクカートリッジ２２が開口部２０ａを通じてディスクカートリッジドライブ２０から取外し可能となる。
【００４４】
また、ディスクカートリッジ２２がディスクカートリッジドライブ２０から取り外された状態において、例えば、落下等により、数百Ｇ以上の衝撃力がディスクカートリッジ２２に作用されるとき、図２に示されるように、磁気ディスク２６の凹部２６ｒを形成する内面にストッパ部材３０の尖頭部３０ｐが係合されることとなる。従って、磁気ディスク２６の記録面２６ａおよび２６ｂの内面とケーシング２４の内面との衝突が回避される。しかも、磁気ディスク２６の記録面２６ａおよび２６ｂがデータ領域として最大限利用され得ることとなる。
【００４５】
図８および図９は、本発明に係る記憶媒体用リムーバブルディスクカートリッジの他の例の構成を示す。
【００４６】
図１に示される例ではストッパ部材３０はケーシング２４に対して固定されており、磁気ディスク２６の凹部２６ｒに対して相対位置が変化しないものであるが、図８および図９に示される例においては、可動式のストッパ部材４０は、ケーシング２４に対して回動可能に支持されており、磁気ディスク２６の凹部２６ｒに対してその相対位置がディスクカートリッジ２２の着脱に応じて変化するものとされる。
【００４７】
なお、図８および図９においては、図１に示される例において同一とされる構成要素について同一の符号を付して示し、その重複説明を省略する。
【００４８】
ストッパ部材４０は、図８に示されるように、磁気ディスク２６の周囲の同一円周上の３箇所に回動可能に配されている。
【００４９】
各ストッパ部材４０は、図８に示されるように、ディスクカートリッジ２２がディスクカートリッジドライブ２０に装着されないとき、磁気ディスク２６の凹部２６ｒを形成する面に係合される尖頭部４２ｐを有している。
【００５０】
各ストッパ部材４２は、その内部を貫通する支持軸４２により回動可能に支持されている。支持軸４２の一端部は、ケーシング２４に回動可能に支持されるとともに、図示が省略されるストッパ制御機構に連結されている。
【００５１】
ストッパ制御機構は、図９の矢印の示す方向に、ディスクカートリッジ２２の装着動作に応じて支持軸４２を時計回り方向に回転させ、また、ディスクカートリッジ２２の取外し動作に応じて支持軸４２を反時計回り方向に回転させるものとされる。
【００５２】
従って、支持軸４２が時計回り方向に回転せしめられるとき、図９に示されるように、尖頭部４２ｐは、凹部２６ｒから離隔され待機状態となり、一方、支持軸４２が反時計回り方向に回転せしめられるとき、尖頭部４２ｐは、図８に示されるように、凹部２６ｒの周縁に係合される。
【００５３】
なお、斯かる例に限られることなく、例えば、尖頭部４２ｐと凹部２６ｒの周縁との間に所定の隙間があってもよい。
【００５４】
斯かる例においても、尖頭部４２ｐが凹部２６ｒの周縁に係合されるとき、磁気ディスク２６の記録面２６ａおよび２６ｂの内面とケーシング２４の内面との衝突が回避される。その結果、ユーザがディスクカートリッジ２２を持ち歩いている場合、磁気ディスク２６がストッパ４０を介してケーシング２４と一体的となるのでディスクカートリッジ２２が落下等により衝撃力が作用したとき、磁気ディスク２６の記録面２６ａおよび２６ｂの内面とケーシング２４の内面との接触が回避される。
【００５５】
しかも、磁気ディスク２６の記録面２６ａおよび２６ｂがデータ領域として最大限利用され得ることとなる。
【００５６】
上述のような磁気ディスク２６を製造するにあたっては、例えば、図１０に示されるような、射出成形装置が利用される。
【００５７】
図１０において、射出成形装置は、図示が省略される射出装置からの溶融樹脂が供給される固定側金型５８、固定側金型６６およびガイドリング６０と、固定側金型６６に対向して移動可能に配される可動側金型５６、６４および６８、ガイドリング６２と、固定側金型５８を支持する支持板５０と、可動側金型５６を移動可能に支持する支持板５２と、図示が省略されるが支持板５２を固定側金型６６に対して往復動させる型締めシリンダ部とを含んで構成されている。なお、図１０は、型開き状態を示す。
【００５８】
支持板５０は、射出装置のノズル部に連結される接続部５０ａを中央部に有している。固定側金型５８は、支持板５０の接続部５０ａに連通する注入口５８ａを接続部５０ａに対応して内部に有している。注入口５８ａの底部は、スプルーブッシュ７２により形成されている。スプルーブッシュ７２の内部に形成されるスプルー７２ａの一端は、後述するキャビティに対して開口している。スプルーブッシュ７２ａの他端は、注入口５８ａ内に開口している。スプルーブッシュ７２ａの周囲には、ブッシュ６０ｂを介して固定側金型６６が配されている。ブッシュ６０ｂ内には、圧縮空気が供給される空気通路が形成されている。空気通路は、圧縮空気供給源に接続されている。その固定側金型６６の周囲には、ガイドリング６０が設けられている。固定側金型６６の内部には、冷却用の媒体が循環される冷却用媒体の通路６０ａが形成されている。通路６０ａは、図示が省略される冷却用媒体の供給源に接続されている。冷却用媒体の供給源には、冷却用媒体の温度を調整する温度調整装置が備えられている。
【００５９】
固定側金型６６に対向して配される可動側金型６８は、固定側金型６６の端面と協働してキャビティ７０を形成する窪みを有している。そのキャビティ７０は、上述の磁気ディスク２６の形状に対応した円盤状に形成されている。
【００６０】
可動側金型６８におけるキャビティ７０の中央部となる位置には、ブッシュ６８ｂに案内されるゲートカット用シャフト５４が設けられている。
【００６１】
ゲートカット用シャフト５４の一端は、可動側金型５６および６４の孔５６ａおよび６４ａ、支持板５２の透孔を貫通し型締めシリンダ部に連結されている。これにより、ゲートカット用シャフト５４の他端は、型締めシリンダ部により、型開きまたは型閉めに応じて往復動せしめられる。即ち、型開き直前の固化期間経過したとき、ゲートカット用シャフト５４の他端は、キャビティ７０内に進入し成形品の中央に孔を打ち抜き、また、型閉めのとき、後退せしめられる。
【００６２】
ブッシュ６８ｂは、圧縮空気が供給される空気通路を内部に有している。空気通路は、圧縮空気供給源に接続されている。
【００６３】
可動側金型６８の周囲には、ガイドリング６２が設けられている。ガイドリング６２および６０は、それぞれ、互いに係合する凹凸面を有している。その凹凸面、可動側金型６８および固定側金型６６の端面によりパーティングラインＰＬが形成されることとなる。
【００６４】
可動側金型６８の内部には、冷却用の媒体が循環される冷却用媒体の通路６８ａが形成されている。通路６８ａは、図示が省略される冷却用媒体の供給源に接続されている。冷却用媒体の供給源には、冷却用媒体の温度を調整する温度調整装置が備えられている。これにより、冷却用媒体の温度が所定の温度に調整されることによって、成形品の機械的特性、例えば、反り角、面振れ等が調整され得る。
【００６５】
斯かる構成において、成形品を得るあたり、先ず、型閉め状態において、溶融樹脂がスプルー７２ａを通じてキャビティ７０内に所定圧力で注入される。次に、型閉め状態において、所定の冷却期間、固化期間経過後、ゲートカット用シャフト５４の他端がキャビティ７０内に進入する。これにより、成形品の中央に孔が打ち抜かれる。続いて、可動側金型６８および固定側金型６６が互いに離隔し型開きが開始されるとともに、ブッシュ６０ｂおよび６８ｂの空気通路を通じて圧縮空気が供給されることにより、成形品が取り外され、所定の取出装置が利用されて射出成形装置から外部に排出される。
【００６６】
続いて、図１１に模式的に示されるように、磁気ディスク２６の素材として孔２６’ｈを有する成形品２６’の外縁部に対して上述の凹部２６ｒに対応する凹部を形成するようにバイト等の工具ＤＩにより機械加工される。図１２（Ａ）に示される成形品２６’の外縁部は、工具ＤＩの刃部ＴＢの形状が例えば、図１２（Ｂ）に示されるように、矩形状の場合、凹部２６”ｒの断面形状が矩形状に形成される。一方、工具ＤＩの刃部ＴＣの形状が例えば、図１２（Ｃ）に示されるように、略円錐台の場合、成形品２６Ｅの凹部２６ｒｅの断面形状が略Ｖ字状に形成されることとなる。
【００６７】
続いて、凹部が形成された成形品２６’の両面に対してそれぞれ磁性層が形成されることにより、上述の磁気ディスク２６が得られることとなる。
【００６８】
なお、上述の本発明の実施例においては、記憶媒体として磁気ディスクについて適用されているが、斯かる例に限られることなく、本発明の一例が例えば、光学ディスク、または、光磁気ディスク等の他の記憶媒体が収容されるディスクカートリッジに対して適用されてもよい。
【００６９】
【発明の効果】
以上の説明から明らかなように、本発明に係る記憶媒体用リムーバブルディスクカートリッジによれば、記憶媒体の外縁部の凹部に挿入される凸部が、収容部内に設けられるので所定以上の衝撃力がディスクカートリッジに作用する場合であっても、凸部が記憶媒体の外縁部の凹部に係合することにより記憶媒体の外縁部が収容部の内面に衝突することが回避され、従って、記録面が損傷することを回避することができ、しかも、記録面を最大限有効に利用することができる。
【図面の簡単な説明】
【図１】本発明に係る記憶媒体用リムーバブルディスクカートリッジの一例の構成を示す断面図である。
【図２】図１に示される例における動作説明に供される断面図である。
【図３】図１に示される例における一部を部分的に拡大した部分断面図である。
【図４】図１に示される例における平面図である。
【図５】図１に示される例における外観を示す斜視図である。
【図６】図１に示される記憶媒体用リムーバブルディスクカートリッジがディスクカートリッジドライブに装着された状態を示す斜視図である。
【図７】図６に示される状態におけるディスクカートリッジドライブ内のチャック部と磁気ディスクとの配置を概略的に示す構成図である。
【図８】本発明に係る記憶媒体用リムーバブルディスクカートリッジの他の一例の全体構成を概略的に示す断面図である。
【図９】図８に示される例における動作説明に供される断面図である。
【図１０】本発明に係る記憶媒体用リムーバブルディスクカートリッジの一例に用いられる磁気ディスクを成形する射出成形装置の構成を示す構成図である。
【図１１】図１０に示される射出成形装置により得られた成形品についての加工の説明に供される図である。
【図１２】（Ａ）は、得られた成形品の外縁部を示し、（Ｂ）は、工具の刃部の一例およびその刃部により加工され得られる凹部の断面形状を示し、（Ｃ）は、工具の刃部の他の例およびその刃部により加工され得られる凹部の断面形状を示す。
【図１３】（Ａ）は、従来のリムーバブルディスクカートリッジの構成を示す断面図であり、（Ｂ）は、（Ａ）に示される例における動作説明に供される断面図である。
【図１４】（Ａ）は、従来のリムーバブルディスクカートリッジの構成を示す断面図であり、（Ｂ）は、（Ａ）に示される例における動作説明に供される断面図である。（Ｃ）は、（Ａ）に示される磁気ディスクのデータ領域の説明に供される図である。
【符号の説明】
２０    ディスクカートリッジドライブ
２２    ディスクカートリッジ
２４    ケーシング
２４Ａ    ディスク収容部
２６    磁気ディスク
２６ｒ    凹部
２６ａ、２６ｂ    記録面
３０、４０    ストッパ部材
【図１】
2004152365.tif 000003
【図２】
2004152365.tif 000004
【図３】
2004152365.tif 000005
【図４】
2004152365.tif 000006
【図５】
2004152365.tif 000007
【図６】
2004152365.tif 000008
【図７】
2004152365.tif 000009
【図８】
2004152365.tif 000010
【図９】
2004152365.tif 000011
【図１０】
2004152365.tif 000012
【図１１】
2004152365.tif 000013
【図１２】
2004152365.tif 000014
【図１３】
2004152365.tif 000015
【図１４】
2004152365.tif 000016